(57)【要約】【課題】  ＬＥＤ照明灯を装着する照明器具の種類に関わらず使用可能なＬＥＤ照明灯を提供する。【解決手段】    照明器具するためのＬＥＤに基づく照明灯であって、  複数のＬＥＤ、前記照明灯に通電する電気に対して前記複数のＬＥＤに印加される電圧、電流および周波数を制御信号を生成するＭＣＵと、  前記ＭＣＵにより生成された制御信号に基づいて前記各ＬＥＤに印加される電圧、電流および周波数を制御するための電気的制御手段と、から構成され前記照明灯に応じた電流値、電圧値および周波数で前記複数のＬＥＤを点灯させる。【選択図】図１
2011258533.tif 000002
【特許請求の範囲】
【請求項１】
照明器具するためのＬＥＤに基づく照明灯であって、
複数のＬＥＤ、
前記照明灯に通電する電気に対して前記複数のＬＥＤに印加される電圧、電流および周波数を制御信号を生成するＭＣＵと、
前記ＭＣＵにより生成された制御信号に基づいて前記各ＬＥＤに印加される電圧、電流および周波数を制御するための電気的制御手段と、
から構成され
前記照明灯に応じた電流値、電圧値および周波数で前記複数のＬＥＤを点灯させることを特徴とするＬＥＤに基づく照明灯。
【請求項２】
前記照明灯がＬＥＤ電球またはＬＥＤ蛍光灯であることを特徴とする請求項１に記載の照明灯。
【請求項３】
前記照明灯は、ＭＣＵで読み取り可能なメモリを内蔵していることを特徴とする請求項１または請求項２に記載の照明灯。
【請求項４】
前記メモリは、少なくとも電圧、電流および周波数の安全範囲の閾値に関する情報を有していることを特徴とする請求項１から請求項３のいずれか１項に記載の照明灯。
【請求項５】
前記照明灯は、ＬＥＤの温度を検知する温度検知手段を有していることを特徴とする請求項１から請求項４のいずれか１項に記載の照明灯。
【請求項６】
前記照明灯は、ＭＣＵ，メモリに加えて、独立した保護回路を有することを特徴とする請求項１から請求項５のいずれか１項に記載の照明灯。
【請求項７】
前記照明灯は、前記照明灯を識別するＩＤを有していることを特徴とする求項１から請求項５のいずれか１項に記載の照明灯。
【請求項８】
前記照明灯は、タイマー機能を有することを特徴とする請求項１から請求項７のいずれか１項に記載の照明灯。
【請求項９】
前記メモリは、前記照明灯の使用環境情報に関するデータを記憶することを特徴とする請求項３から請求項８のいずれか８項に記載の照明灯。
【請求項１０】
前記照明灯は、ＩＤ機能に加えて通信機能を有することを特徴とする請求項７から請求項９のいずれか１項に記載の照明灯。
【請求項１１】
前記照明灯は、二次電源を有することを特徴とする請求項１から請求項１０のいずれか１項に記載の照明灯。
【請求項１２】
前記照明灯は、光の点滅による通信機能を持つことを特徴とする請求項１から請求項１１のいずれか１項に記載の照明灯。
【請求項１３】
前記照明灯は、冷却手段を備え、前記冷却手段は、ＭＣＵにより制御することを特徴とする請求項１から請求項１２のいずれか１項に記載の照明灯。
【請求項１４】
前記照明灯は、部品交換可能に構成されている請求項１から請求項１３のいずれか１項に記載の照明灯。
【請求項１５】
前記照明灯は、照明用ＬＥＤとは別に、前記照明用ＬＥＤ異なる色のＬＥＤを持つことを特徴とする請求項１から請求項１４のいずれか１項に記載の照明灯。
【請求項１６】
前記照明灯の調光機能、タイマー機能は、点滅操作により行うことを特徴とする請求項８から請求項１５のいずれか１項に記載の照明灯。
【請求項１７】
前記照明灯は、照明部分を回転させる回転機構を有していることを特徴とする請求項１から請求項１６のいずれか１項に記載の照明灯。
【請求項１８】
請求項７から請求項１７のいずれか１項に記載の照明と、前記照明灯を制御または管理するサーバとから構成される照明灯の管理システム。
【発明の詳細な説明】
【技術分野】
【０００１】  本発明は、発光ダイオード（ＬＥＤ）を備えた照明灯に関する。
【背景技術】
【０００２】  元来、ＬＥＤを光源とした各種のＬＥＤ照明灯が知られている（特許文献１から３参照）。【０００３】  ＬＥＤ照明装置は、ＬＥＤに流入する電流を安定化してその照度のバラツキを抑制している。ＬＥＤに流入する電流を安定化するものとして、ＬＥＤと直列に高抵抗を接続するようにしたものがある。ＬＥＤと直列に高抵抗を接続した場合には、高抵抗による電圧降下や電力損失が大きく効率が悪くなる。そこで、ＬＥＤに流入する電流を安定化するものとして、ＬＥＤと直列に簡易定電流回路を接続し、電力損失を最小化すると同時に照度のバラツキを少なくしたものがある（例えば、特許文献１参照）。【０００４】  これは、単一トランジスタと抵抗器とで構成した定電流回路とＬＥＤとを直列接続した複数のＬＥＤユニットを設け、ＬＥＤユニットに流れる電流は抵抗器の電圧降下として検出し、定電流基準回路の電圧と比較増幅し、トランジスタのベースに帰還して自動制御を行い、常に抵抗器の電圧降下が一定となる様に制御を行ってＬＥＤユニットの電流を一定値に保つようにしている。そして、複数のＬＥＤユニット内でトランジスタと抵抗器との電圧降下の和を最低電圧検出装置に入力し、ＬＥＤユニットの内最も小さい電圧を検出して、この電圧が目標値になる様に電源部の出力電圧を制御するようにしている。【０００５】  また、特許文献２には、電力損失を低減しながら明るさが低照度まで安定して制御できるＬＥＤ照明装置として、直流電力が入力されるＬＥＤと、前記ＬＥＤに流れる電流を制御する半導体スイッチ素子とが直列接続されたＬＥＤユニットと；前記ＬＥＤユニットを流れる電流が所定値になるように前記半導体スイッチ素子を制御する電流制御手段と；外部からの制御信号により前記半導体スイッチ素子をオンオフ制御するスイッチ手段と；前記スイッチ手段の制御により前記半導体スイッチ素子がオフし、前記直流電源から前記ＬＥＤに電流が供給されていない非通電状態を検出するＬＥＤ非通電検出手段と；前記ＬＥＤ非通電検出手段が前記ＬＥＤ電流の非通電状態を検出していないときは、前記半導体スイッチ素子の端子間電圧が予め定めた基準値となるように前記ＬＥＤに入力される直流電力を制御し、前記ＬＥＤ非通電検出手段が前記ＬＥＤ電流の非通電状態を検出している期間中は、前記ＬＥＤに入力される直流電力を非通電状態の直前の値または予め定めた固定値に保持する入力電力制御手段と；を備えたことを特徴とする照明装置が記載されている。
【先行技術文献】
【特許文献】
【０００６】
【特許文献１】  特開平８−７５２５３号公報
【特許文献２】  特開２００６−２７８３０４号公報
【特許文献３】  特開２００９−１２３６２５号公報
【発明の概要】
【発明が解決しようとする課題】
【０００７】  しかしながら、ＬＥＤ灯を装着しようとする照明器具の需要は多種多様であり、また国や地域によっては異なる電気特性を有しており、これらの要求に応じて（照明器具）その都度ＬＥＤ照明器具を制作する必要があった。そのため、電源状況に関わらず使用できるＬＥＤ照明灯に対する要求がある。【０００８】  また、近年の企業・公共団体等からの省エネルギの要望に対応して、効果的に電力消費量を削減でき、電力削減量を管理できるシステムに対する要求もある。【０００９】  したがって、本発明の課題は、ＬＥＤ照明灯を装着する照明器具の種類に関わらず使用可能なＬＥＤ照明灯を提供することである。【００１０】  本発明の別の課題は、ＬＥＤ照明灯を用いて効果的に電力消費量を削減でき、電力削減量を管理できるシステムを提供することである。
【課題を解決するための手段】
【００１１】  本発明は、上記課題に鑑みて創作されたものであり、下記項目に関する照明器具に関するものである。【００１２】（請求項１）  照明器具するためのＬＥＤに基づく照明灯であって、
複数のＬＥＤ、前記照明灯に通電する電気に対して前記複数のＬＥＤに印加される電圧、電流および周波数を制御信号を生成するＭＣＵと、前記ＭＣＵにより生成された制御信号に基づいて前記各ＬＥＤに印加される電圧、電流および周波数を制御するための電気的制御手段と、から構成され
前記照明灯に応じた電流値。電圧値および周波数で前記複数のＬＥＤを点灯させることを特徴とするＬＥＤに基づく照明灯。【００１３】（請求項２）  前記照明灯がＬＥＤ電球またはＬＥＤ蛍光灯であることを特徴とする請求項１に記載の照明灯。【００１４】（請求項３）  前記照明灯は、ＭＣＵで読み取り可能なメモリを内蔵していることを特徴とする請求項１または請求項２に記載の照明灯。【００１５】（請求項４）
前記メモリは、少なくとも電圧、電流および周波数の安全範囲の閾値に関する情報を有していることを特徴とする請求項１から請求項３のいずれか１項に記載の照明灯。【００１６】（請求項５）  前記照明灯は、ＬＥＤの温度を検知する温度検知手段を有していることを特徴とする請求項１から請求項４のいずれか１項に記載の照明灯。【００１７】（請求項６）  前記照明灯は、ＭＣＵ，メモリに加えて、独立した保護回路を有することを特徴とする請求項１から請求項５のいずれか１項に記載の照明灯。【００１８】（請求項７）  前記照明灯は、前記照明灯を識別するＩＤを有していることを特徴とする求項１から請求項５のいずれか１項に記載の照明灯。【００１９】（請求項８）  前記照明灯は、タイマー機能を有することを特徴とする請求項１から請求項７のいずれか１項に記載の照明灯。【００２０】（請求項９）  前記メモリは、前記照明灯の使用環境情報に関するデータを記憶することを特徴とする請求項３から請求項８のいずれか８項に記載の照明灯。【００２１】（請求項１０）  前記照明灯は、ＩＤ機能に加えて通信機能を有することを特徴とする請求項７から請求項９のいずれか１項に記載の照明灯。【００２２】（請求項１１）  前記照明灯は、二次電源を有することを特徴とする請求項１から請求項１０のいずれか１項に記載の照明灯。【００２３】（請求項１２）  前記照明灯は、光の点滅による通信機能を持つことを特徴とする請求項１から請求項１１のいずれか１項に記載の照明灯。【００２４】（請求項１３）  前記照明灯は、冷却手段を備え、前記冷却手段は、ＭＣＵにより制御することを特徴とする請求項１から請求項１２のいずれか１項に記載の照明灯。【００２５】（請求項１４）  前記照明灯は、部品交換可能に構成されている請求項１から請求項１３のいずれか１項に記載の照明灯。【００２６】（請求項１５）  前記照明灯は、照明用ＬＥＤとは別に、前記照明用ＬＥＤ異なる色のＬＥＤを持つことを特徴とする請求項１から請求項１４のいずれか１項に記載の照明灯。【００２７】（請求項１６）  前記照明器具の調光機能、タイマー機能は、点滅操作により行うことを特徴とする請求項８から請求項１５のいずれか１項に記載の照明器具。【００２８】（請求項１７）  前記照明器具は、照明部分を回転させる回転機構を有していることを特徴とする請求項１から請求項１６のいずれか１項に記載の照明器具。【００２９】（請求項１８）  請求項７から請求項１７のいずれか１項に記載の照明と、前記照明器具を制御または管理するサーバとから構成される照明器具の管理システム。
【発明の効果】
【００３０】  本発明の照明灯によると、複数のＬＥＤ、前記照明器具に通電する電気に対して前記複数のＬＥＤに印加される電圧、電流および周波数を制御信号を生成するＭＣＵと、前記ＭＣＵにより生成された制御信号に基づいて前記各ＬＥＤに印加される電圧、電流および周波数を制御するための電気的制御手段とから構成されているので、入力された電気の電圧、電流、周波数を使用する照明器具に応じて設定可能であるので、各種各様に対応可能なＬＥＤ照明灯が提供できる。【００３１】
【図面の簡単な説明】
【００３２】
【図１】  本発明のＬＥＤ照明灯の一例を示す図面。
【図２】  本発明のＬＥＤ照明灯の別の一例を示す図面。
【図３Ａ】  図１または図２に示すＬＥＤ照明灯のＭＣＵと電気的制御手段の構成を示す図面。
【図４】  図１または図２に示すＬＥＤ照明灯のＭＣＵと電気的制御手段のふろーを示す図面。
【図５】  本発明のＬＥＤ照明灯の特定の実施形態を示す図面。
【図６】  本発明のＬＥＤ照明灯の別の特定の実施形態を示す図面。
【図７】  本発明のＬＥＤ照明灯のさらに別の特定の実施形態を示す図面。
【発明を実施するための形態】
【００３３】  以下、本発明の実施の形態を添付図面に基づいて説明する。まず、図１から図３に基づいて本発明の第一実施形態を説明する。
【００３４】  図１は、本発明のＬＥＤ照明灯の一例を示す図面であり、図２は本発明のＬＥＤ照明灯の別の一例を示す図面であり、図３は、図１または図２に示すＬＥＤ照明灯のＭＣＵと電気的制御手段の構成を示す図面である。
【００３５】  図１および図２に示す通り、従来の白熱灯や蛍光灯等に代わってＬＥＤを光源にする照明灯であり、従来使用している照明器具に従来の白熱灯や蛍光灯等の代わりに適用する照明灯である。
【００３６】  例えば、ペンダントライト（部屋の天井からぶら下げるタイプの照明器具）、ブラケットライト（壁面に取り付けるタイプの照明器具）、ダウンライト（天井へ埋め込んで真下を照らす照明）、シーリングライト（天井面に直接付けるタイプの照明。）、スポットライト  （一部分を集中して照らす照明）、映像照明（映像業界で主に使われる照明）、サーチライト（特定の物を追いかけながら集中して照らす照明。）、屋外灯（道路照明、庭園照明を含む）、集魚灯などで電気を使用して照明を行う各種照明器具に用いられる照明灯が本発明の対象である。図１に示す本発明の照明灯１は、放熱ホルダ２、絶縁放熱用シート３、拡散シート４、軽量カバー５から主として構成され、内部にＭＰＵが内蔵されている。
【００３７】  本発明の照明灯は、図１および図２に示す通り、複数のＬＥＤ、前記照明灯に通電する電気に対して前記複数のＬＥＤに印加される電圧、電流および周波数を制御信号を生成するＭＣＵと、前記ＭＣＵにより生成された制御信号に基づいて前記各ＬＥＤに印加される電圧、電流および周波数を制御するための電気的制御手段と、から主として構成されている。
【００３８】  そして、本願発明では、図３Ａに示す通り、照明灯（ＬＥＤ電球、ＬＥＤ蛍光灯など）にＭＣＵ（Ｍｉｃｒｏ  Ｃｏｎｔｒｏｌｌｅｒ  Ｕｎｉｔ  マイクロコンピュータ）を有する点が最大の特徴である。
【００３９】  照明灯（ＬＥＤ電球、ＬＥＤ蛍光灯など）にＭＣＵ（Ｍｉｃｒｏ  Ｃｏｎｔｒｏｌｌｅｒ  Ｕｎｉｔ  マイクロコンピュータ）にＭＣＵを有することにより異なる電圧、電流、周波数に対応、調整、出力が可能になる。たとえば、蛍光灯器具のラピッド、グロー、インバータ方式の異なる器具に取り付ける場合や電圧の違い、各照明器具製造メーカにより異なる点灯方式があるが、その異なる方式をＭＣＵにより判断し調整が可能となる。すなわち、図３Ｂに示す通り、入力信号をＭＰＵが受信し、調整信号を生成して出力する構成を有している。
【００４０】  照明灯（ＬＥＤ電球、ＬＥＤ蛍光灯など）にＭＣＵ（Ｍｉｃｒｏ  Ｃｏｎｔｒｏｌｌｅｒ  Ｕｎｉｔ  マイクロコンピュータ）にＭＣＵを有することにより平常使用の電流電圧、その他の状態を記憶させ、その数値以外の異常な信号を排除することにより器具の発熱、発火、破損を防ぐ。例えば、図４のフロー参照。
【００４１】  同様に、照明灯（ＬＥＤ電球、ＬＥＤ蛍光灯など）にＭＣＵ（Ｍｉｃｒｏ  Ｃｏｎｔｒｏｌｌｅｒ  Ｕｎｉｔ  マイクロコンピュータ）、またはＭＣＵとメモリの両者を持たせることにより、以下の優れた効果を奏する。
【００４２】  照明灯（ＬＥＤ電球、ＬＥＤ蛍光灯など）にＭＣＵ（Ｍｉｃｒｏ  Ｃｏｎｔｒｏｌｌｅｒ  Ｕｎｉｔ  マイクロコンピュータ）にＭＣＵを有し、異常電流、過電流、ノイズ、雷等の見地プログラムを格納することにより、異常電流、過電流、ノイズ、雷等を察知し、回路を保護、異常過熱や、発火、破損を予防することが可能である。
【００４３】  ＭＣＵ及びメモリ、保護回路を照明灯（ＬＥＤ電球、ＬＥＤ蛍光灯など）とは別の基板、独立した基盤にすることにより保護機能により保護され、保護回路が破損した場合にも交換が可能になる。
【００４４】  照明灯（ＬＥＤ電球、ＬＥＤ蛍光灯など）が時計機能（時間タイマー機能）を持つことにより、工事が不要で時間による照度のコントロールすることによりエネルギーの削減や、人の手に頼っていた操作を自動で行うことが可能になる。→広告等の照度コントロールや色のコントロールができ広告やディスプレイを効果的に変化させることが出来る。→病院、介護施設での照度コントロール可能となる。すなわち、無人の倉庫、店舗などの照度コントロールをすることで防犯等に役立つ。
【００４５】  照明灯（ＬＥＤ電球、ＬＥＤ蛍光灯など）がメモリ機能を持つことにより環境状況の把握、データ収拾が可能になる（例えば、温度、湿度、人の入退出、車の入退出など）。
【００４６】  本発明によると、ＩＤを持つメモリ機能を照明灯（ＬＥＤ電球、ＬＥＤ蛍光灯など）に持たせることができる。このようにＩＤを持つメモリ機能を照明灯（ＬＥＤ電球、ＬＥＤ蛍光灯など）に持たせることにより、器具の盗難、資産管理、交換時期の管理が可能になる。
【００４７】  また、ＩＤを持つメモリ機能を照明灯（ＬＥＤ電球、ＬＥＤ蛍光灯など）に持たせることにより、個別の電力消費、使用状況の管理が可能になる。そのため→エネルギー管理やエスコ事業でのエネルギー管理に役立つことが可能となる。
【００４８】  照明灯（ＬＥＤ電球、ＬＥＤ蛍光灯など）が個別のＩＤを持ち、個々に通信機能を持つことにより隣り合う装置の同期が可能な機能をもつことが好ましい。このように照明灯（ＬＥＤ電球、ＬＥＤ蛍光灯など）が個別のＩＤを持ち、個々に通信機能を持つことにより、１対多、多対１のコントロールが可能になる。
【００４９】また、ＰＣＬ通信機能やその他の通信機能を内蔵することにより遠隔地からの操作やデータ収拾、器具の周辺のコントロールが可能になる。また通信機能によりデータの配信、画像や音楽等の配信が特定の場所に可能になる。
【００５０】  さらに器具に個別ＩＤがあること、基板や器具の部品配置、設置方法を特定することにより、人の動き、車の動き、物の動きの方向性を確認することが出来る。
【００５１】  本発明の別の実施形態によると、ＬＥＤ電球、ＬＥＤ蛍光灯に２次電源（電池やコンデンサ、キャパシタ等）を内蔵させることが可能である。このようにＬＥＤ電球、ＬＥＤ蛍光灯に２次電源（電池やコンデンサ、キャパシタ等）を内蔵させると、電源回路が遮断されても一定期間照度を維持することが出来る。そのため火事や災害時、誘導灯としての利用が可能になる。
【００５２】  火事や災害時、耳の不自由な人や、音の聞こえにくい場所（工事現場、作業場）でセンサや、通信により災害や異常事態、来客や、呼び出し等、照明の点滅により報知することが可能になる。また、時計機能（時間タイマー機能）を持つことによる照明の点滅で報知が可能になる。
【００５３】  また、証明器具が本発明の証明等により個別ＩＤが付与されていることにより、メモリ機能、通信機能を持ち位置を把握することにより誘導灯として場合に応じて方向性を示したり誘導点滅させたりすることが可能になる。
【００５４】  ＬＥＤ電球、ＬＥＤ蛍光灯に光の点滅による通信機能を持たせることも可能である。このような本発明の照明灯は、不可視光の発光をして安全でデータの保護された情報を発信することが出来る。
【００５５】  メモリを内蔵することにより、通信回路の無い場所でも情報を定期的に発信、受信することが出来る。それにより、新たな器具、工事を必要とせず、安価に情報端末の設置が可能になる。
【００５６】  ＬＥＤ電球、ＬＥＤ蛍光灯において、器具の放熱性を高めるためにペルチェ素子やその他冷却装置を内蔵し、基板、ＬＥＤの冷却効果を高める。また、その温度差を利用して発電しキャパシタ、コンデンサに蓄電、一定の電圧に達した場合にＬＥＤへの電力供給を行う。そのコントロールをＭＣＵにより行う。
【００５７】  接着、溶着をせず分解可能で部品交換が可能な構造を持つＬＥＤ電球、ＬＥＤ蛍光灯。リサイクル、部品交換が可能な装置である。
【００５８】  照明用ＬＥＤとは別に有色ＬＥＤを持つことにより、電圧の異常や、接続の異常、器具の異常等を安価に報知することが出来る。
【００５９】  ＭＣＵを内蔵すること、自己診断回路を持つことで不具合があった場合（不点燈や、点滅、発熱等）異常個所を検知することが可能になる。回路上の抵抗や部品のある箇所のそれぞれの電圧、電流値等の数値の違いをあらかじめメモリする機能を持ち、あらかじめ設定した定点間だけに電圧、電流等を流す回路パターンに自動で電圧、電流等の確認をする回路を内蔵する。順次測定していき不具合のある箇所の特定ができる。
【００６０】  調光機能やタイマー機能、その他の点滅等のスイッチ及びＭＣＵのコントロールは特別な入力端子を必要とせず、電源の入力端子より信号を入力することによりコントロールをすることが出来る。入力端子、入力ボタン等が無いことで部品の削減、いたずらによる誤作動防止が可能になる。
【００６１】  本発明の特定の実施形態において、本発明の傾向型ＬＥＤに、回転機能を持たせることができる。図６に示すような本体が回転することにより現在販売されている蛍光灯型ＬＥＤはＬＥＤの持つ特徴である指向性が強く蛍光灯型ＬＥＤの設置する器具や設置場所によっては一部に光が当たらない、暗い等の問題点があった。特に蛍光灯器具の逆富士型２灯タイプなどでの取り付けは直下方向には光が当たりづらくなる問題があった。接続端子部は回転せず本体が回転し照射部を移動することにより光が当たりづらくなるのを伏せ不ことが出来る。また、任意に回転移動できることにより間接照明としての効果や、特定の場所へ効果的に照射することが可能になる。
【００６３】  蛍光灯型ＬＥＤはＬＥＤの持つ特徴である指向性が強く蛍光灯型ＬＥＤの設置する器具や設置場所によっては一部に光が当たらない、暗い等の問題点があった。自動販売機や商品ディスプレイの場合従来型蛍光灯の場合は上下方向、左右方向のような対峙する方向への照射が可能であったが蛍光灯型ＬＥＤの場合はその指向性の強さから対峙する１８０度方向への照射はむずかしかった。解決方法→反射板を利用することにより基板を複数枚使用することなく対峙する１８０度方向への照射を可能にした。図５（ａ）では、両面基板を利用することにより対峙する１８０度方向への照射を可能にした（図５（ｂ））。
【００６４】  本発明の照明灯は、ＵＶ  ＬＥＤ（紫外線波長ＬＥＤ）の搭載による殺菌機能を併せ持つ蛍光灯型ＬＥＤに適用可能である。ＵＶ  ＬＥＤ（紫外線波長ＬＥＤ）を搭載することによりウイルス等の殺菌に効果をあげる。ＵＶ  ＬＥＤ（紫外線波長ＬＥＤ）の直視または、紫外線を浴びることは皮膚や目に障害を引き起こす可能性がある。また、図○のように片側に照明用、片側にＵＶ  ＬＥＤ（紫外線波長ＬＥＤ）と対峙してＬＥＤを搭載することにより紫外線を直接目に触れる、直接紫外線を浴びることが無く空気中の殺菌効果をあげることが出来る。
【００６５】  また、ＬＥＤの特性上光の指向性が強く３６０度方向への光の照射が難しいという問題があった。これに対して、図７に示すとおり、基板を三角形に配置することにより３６０度への照射が可能となった。
【産業上の利用可能性】
【００６６】  本発明の照明灯は、照明器具するためのＬＥＤに基づく照明灯であって、
複数のＬＥＤ、前記照明灯に通電する電気に対して前記複数のＬＥＤに印加される電圧、電流および周波数を制御信号を生成するＭＣＵと、前記ＭＣＵにより生成された制御信号に基づいて前記各ＬＥＤに印加される電圧、電流および周波数を制御するための電気的制御手段と、から構成されており、前記照明灯に応じた電流値、電圧値および周波数で前記複数のＬＥＤを点灯させることができる。そのため、電流値、電圧値および／または州は数が異なる種々の照明器具に対応できるＬＥＤに基づく照明器具が提供できる。【００６２】  また、本発明の照明灯は、ＭＣＵを内臓しているので、上記特徴に加えて、下記の機能を付与することが可能である。【００６３】調光機構
（ア）スイッチ動作（ノイズ）による調光機能の内蔵
電灯線をネットワーク線路とするＬＡＮを使用する。新たな工事や器具を取り付けることなく、既存のスイッチの操作を入り切りすること（入り切りする速さの間隔）により照度のコントロールが可能。
（イ）フォトセンサを内蔵することによる状態検知
光量の検出、人の動きの検知をフォトセンサによりおこない照度のコントロールや電源の入り切りをおこなう。
（ウ）点滅等による異常（火事や事故）、通知等の報知機構
各種異常を（ア）、他により報知する【００６４】安全機能付
（ア）発熱異常
熱センサを用いる
（イ）電流異常防止・電圧異常防止・誤接続等
ＭＣＵにより行う
（ウ）警告ランプ表示（赤色ランプの追加およびＬＥＤの点燈・点滅方法等）
ＭＣＵにより行う
（エ）個別ＩＤ付
（ア）等に使用する
設置場所の特定や、データの収集、個別のコントロール、盗難防止が可能になる。【００６５】メモリ機能
（ア）消費電力のメモリ機能
（イ）使用時間のメモリ機能
（ウ）その他の情報をメモリに内臓  （例、環境データ、音声データ、文字データ等）
（エ）タイマー機能、時刻メモリを内蔵
（オ）外部よりメモリの読み込み書き込みが可能
（カ）セキュリティ機能内蔵
（メモリ内容の書き換えやデータの不正取り出しを防止）【００６６】通信機能
（ア）データ通信機能
（１）赤外線、ＬＥＤ発光通信、ＰＣＬ通信、ＬＡＮ通信、Ｂｌｕｅｔｏｏｔｈその他の通信
（２）センサとの組み合わせによる防犯、調光、入退出管理
（３）ＬＡＮ接続、赤外線通信、ＰＣＬ通信等のアンテナ機能
（４）固体（個別ＩＤ）の連動（同期）機能（ノイズ、赤外線、発光、電波、その他による）
（５）本体メモリの通信機能（読み込み・書き込み）
スピーカーの内臓や音源の内蔵により音による報知が可能になる。
補助電源機能
３３．補助電源機能
（ア）二次電源機能  電源が遮断されても２次電源を内蔵することで点燈が可能になる（二次電源付インバータ）【００６７】その他
ノイズを発生、受信してＩＤの認識、発信。そのＩＤの認識でセンサのコントロール（モーションセンサ、赤外線センサ等）。
別に受発信装置を用意して（位置ＩＤの確認等）
上記のプログラム、システムによりＬＥＤ蛍光灯側、機器側にＰＬＣ通信用の基板、回路等が無くてもＭＣＵにより簡易なコントロール、通信が可能
ＬＥＤ蛍光灯複数、通信は受発信装置一つで受発信装置側よりほかのネットワークに発信することで、個々のＬＥＤ蛍光灯に通信装置を持たなくても自前のＭＣＵ、通信（マイコン）で賄う。
【符号の説明】
【００６８】１  照明灯
２  放熱ホルダ
３  絶縁放熱用シート    ４  拡散シート
５  軽量カバー
【図１】
2011258533.tif 000003
【図２】
2011258533.tif 000004
【図３Ａ】
2011258533.tif 000005
【図３Ｂ】
2011258533.tif 000006
【図４】
2011258533.tif 000007
【図５】
2011258533.tif 000008
【図６】
2011258533.tif 000009
【図７】
2011258533.tif 000010
【手続補正書】
【提出日】平成22年8月2日(2010.8.2)
【手続補正１】
【補正対象書類名】明細書
【補正対象項目名】００３２
【補正方法】変更
【補正の内容】
【００３２】
【図１】  本発明のＬＥＤ照明灯の一例を示す図面。
【図２】  本発明のＬＥＤ照明灯の別の一例を示す図面。
【図３Ａ】  図１または図２に示すＬＥＤ照明灯のＭＣＵと電気的制御手段の構成を示す図面。
【図３Ｂ】  図１または図２に示すＬＥＤ照明灯のＭＣＵと電気的制御手段のフローを示す図面。
【図４】  図１または図２に示すＬＥＤ照明灯のＭＣＵと電気的制御手段のフローを示す図面。
【図５】  本発明のＬＥＤ照明灯の特定の実施形態を示す図面。
【図６】  本発明のＬＥＤ照明灯の別の特定の実施形態を示す図面。
【図７】  本発明のＬＥＤ照明灯のさらに別の特定の実施形態を示す図面。